(57)【特許請求の範囲】
【請求項１】
ケーシングの前面に送話部及び受話部を配備すると共に情報表示装置の表示面を配備した携帯電話機において、
情報表示装置の表示面を照明するための照明装置と、
装置本体の前面側の周辺の明るさを検出することが可能な位置に配備された第１光検出手段と、
装置本体の背面側の周辺の明るさを検出することが可能な位置に配備された第２光検出手段と、
前記第１光検出手段及び第２光検出手段の出力信号に基づいて、照明装置の点灯及び消灯を制御する照明制御手段
とを具え、前記照明制御手段は、
通信確立状態において第１光検出手段によって検出された明るさと第２光検出手段によって検出された明るさをそれぞれ基準値と比較する手段と、
通信確立状態で第１光検出手段によって検出された明るさが基準値よりも高い場合において、第２光検出手段によって検出された明るさが基準値よりも高いときは、照明装置を消灯させる一方、第２光検出手段によって検出された明るさが基準値よりも所定値を越える差をもって低いときは、第２光検出手段によって検出された明るさの前回の検出値が基準値よりも高いときに限り、照明装置を一定時間だけ点灯させる動作を開始する手段と、
通信確立状態で第１光検出手段によって検出された明るさが基準値以下の場合において、第２光検出手段によって検出された明るさが基準値よりも所定値を越える差をもって高いときは、照明装置を消灯させる一方、第２光検出手段によって検出された明るさが基準値以下のときは、第２光検出手段によって検出された明るさの前回の検出値が基準値よりも高いときに限り、照明装置を一定時間だけ点灯させる動作を開始する手段
とを具えていることを特徴とする携帯電話機。
【請求項２】
更に、前記第１光検出手段及び第２光検出手段の出力信号に基づいて、情報表示装置の表示動作のオン／オフを制御する表示制御手段を具えている請求項１に記載の携帯電話機。
【請求項３】
前記表示制御手段は、通話中に、第１光検出手段によって検出された明るさが第２光検出手段によって検出された明るさよりも低い場合に、情報表示装置の表示動作をオフとする請求項２に記載の携帯電話機。
【発明の詳細な説明】
【０００１】
【発明の属する技術分野】
本発明は、ケーシングの前面に送話部及び受話部を配備すると共に情報表示装置の表示面を配備した携帯電話機に関するものである。
【０００２】
【従来の技術】
従来の携帯電話機は、図７に示す如く、前面ケース(11)と背面ケース(12)を組み合わせてなる扁平なケーシング(１)を具え、該ケーシング(１)の頭部にアンテナ(13)が突設されている。
前面ケース(11)の表面には、複数の操作キーからなるキー入力装置(14)及びディスプレイ(15)が配備されると共に、該表面の上端部及び下端部には夫々、スピーカを内蔵した受話部(２)及びマイクロホンを内蔵した送話部(20)が設けられている。
【０００３】
又、前面ケース(11)の表面には、受話部(２)の近傍位置に光センサ(４)が設けられており、該光センサ(４)によって、装置本体の前面側の周辺の明るさが検出される。該光センサ(４)は、周囲の光が入射している状態ではオンとなり、周囲の光が入射していない状態ではオフとなる。
上記携帯電話機は、ディスプレイ(15)の表示面を照明するためのバックライト(図示省略)を内蔵しており、該バックライトは、前記光センサ(４)がオンであるときに消灯される一方、前記光センサ(４)がオフであるときに点灯される。
従って、周囲が明るい状態では、光センサ(４)に周囲の光が入射して光センサ(４)がオンとなり、バックライトが消灯される。これに対し、周囲が暗い状態では、光センサ(４)には周囲の光が殆ど入射せず、光センサ(４)がオフとなってバックライトが点灯される。
【０００４】
【発明が解決しようとする課題】
しかしながら、従来の携帯電話機においては、装置本体の前面側の周辺の明るさを検出する光センサ(４)のみの出力信号に基づいて、バックライトの点灯及び消灯が制御されるため、周囲の状況に応じて、バックライトを適切なタイミングで点灯及び消灯させることが出来ない問題があった。
例えば、周囲が暗い状態であっても、何らかの光源の光が装置本体の前面に向けて局所的に照射されている場合、例えば、光源の光がユーザの背面からユーザに向けて局所的に照射されている場合は、光源の光が光センサ(４)に入射して光センサ(４)がオンとなり、バックライトが消灯されるが、この様に周囲が暗く、光がユーザの背面からユーザに向けて局所的に照射されている状況は、ユーザが何らかの動作を行なう上で危険である。
又、周囲が明るい状態であっても通話中においては、周囲の光はユーザの耳により遮蔽されて光センサ(４)に入射せず、光センサ(４)がオフとなってバックライトが点灯されるが、かかる場合、周囲は明るく、然もユーザが通話中にディスプレイ(15)の表示を見ることはないため、ディスプレイ(15)の表示面を照明する必要がない。この様に、ディスプレイ(15)の表示面を照明する必要がないにも拘わらず、バックライトが点灯されており、無駄な電力が消費されている。
そこで本発明の目的は、周囲の状況に応じて、照明装置を適切なタイミングで自動的に点灯及び消灯させることが出来る携帯電話機を提供することである。
【０００５】
【課題を解決する為の手段】
本発明に係る携帯電話機においては、ケーシングの前面に送話部及び受話部が配備されると共に、情報表示装置の表示面が配備されており、該携帯電話機は、
情報表示装置の表示面を照明するための照明装置と、
装置本体の前面側の周辺の明るさを検出することが可能な位置に配備された第１光検出手段と、
装置本体の背面側の周辺の明るさを検出することが可能な位置に配備された第２光検出手段と、
前記第１光検出手段及び第２光検出手段の出力信号に基づいて、照明装置の点灯及び消灯を制御する照明制御手段
とを具えている。前記照明制御手段は、
通信確立状態において第１光検出手段によって検出された明るさと第２光検出手段によって検出された明るさをそれぞれ基準値と比較する手段と、
通信確立状態で第１光検出手段によって検出された明るさが基準値よりも高い場合において、第２光検出手段によって検出された明るさが基準値よりも高いときは、照明装置を消灯させる一方、第２光検出手段によって検出された明るさが基準値よりも所定値を越える差をもって低いときは、第２光検出手段によって検出された明るさの前回の検出値が基準値よりも高いときに限り、照明装置を一定時間だけ点灯させる動作を開始する手段と、
通信確立状態で第１光検出手段によって検出された明るさが基準値以下の場合において、第２光検出手段によって検出された明るさが基準値よりも所定値を越える差をもって高いときは、照明装置を消灯させる一方、第２光検出手段によって検出された明るさが基準値以下のときは、第２光検出手段によって検出された明るさの前回の検出値が基準値よりも高いときに限り、照明装置を一定時間だけ点灯させる動作を開始する手段
とを具えている。
【０００６】
本発明に係る携帯電話機においては、例えば、周囲が暗い状態で何らかの光源の光が装置本体の前面に向けて局所的に照射されている場合、例えば、周囲が暗い状態で、光源の光がユーザの背面からユーザに向けて局所的に照射されている場合、第１光検出手段には光源の光の大部分が入射するのに対し、第２光検出手段には光源の光は殆ど入射しない。従って、第１光検出手段に入射する光の量は第２光検出手段に入射する光の量に比べて多く、第１光検出手段によって検出される明るさは、第２光検出手段によって検出される明るさに比べて高い。
又、周囲が明るい状態で通話が行なわれている場合は、周囲の光は、第２光検出手段には入射するのに対し、第１光検出手段には、ユーザの耳により遮蔽されて入射しない。従って、第１光検出手段に入射する光の量は、第２光検出手段に比べて少なく、第１光検出手段によって検出される明るさは、第２検出手段によって検出される明るさに比べて低い。
そこで、第１光検出手段によって検出された明るさと、第２光検出手段によって検出された明るさとに基づいて、照明装置の点灯及び消灯が制御される。
この様にして、装置本体の前面側の周辺の明るさのみならず、装置本体の背面側の周辺の明るさにも基づいて、照明装置の点灯及び消灯が制御されるので、照明装置は、周囲の状況に応じて、適切なタイミングで点灯及び消灯されることになる。
【００１１】
更に具体的には、前記第１光検出手段及び第２光検出手段の出力信号に基づいて、情報表示装置の表示動作のオン／オフを制御する表示制御手段を具えている。
【００１２】
周囲が明るい状態で通話が行なわれている場合、周囲は明るく、然もユーザが通話中に情報表示装置の表示を見ることはないため、情報表示装置に情報を表示することは無駄である。ここで、第１光検出手段によって検出される明るさは、第２光検出手段によって検出される明るさに比べて低い。
そこで、第１光検出手段によって検出される明るさと第２光検出手段によって検出される明るさとに基づいて、情報表示装置の表示動作のオン／オフが制御される。
【００１３】
更に又、具体的には、前記表示制御手段は、通話中に、第１光検出手段によって検出された明るさが第２光検出手段によって検出された明るさよりも低い場合に、情報表示装置の表示動作をオフとする。
【００１４】
上述の如く周囲が明るい状態で通話が行なわれている場合は、第１光検出手段によって検出される明るさは、第２光検出手段によって検出される明るさに比べて低い。
これに対し、周囲が暗い状態で通話が行なわれている場合、及び周囲が暗い状態で通話が行なわれていない場合の何れの場合においても、第１光検出手段によって検出される明るさと第２光検出手段によって検出される明るさとは同程度である。
従って、仮に第１光検出手段によって検出される明るさと第２光検出手段によって検出される明るさとが同程度である場合にも情報表示装置の表示動作をオフとする構成を採用した場合、通話が行なわれていない場合においても、情報表示装置に情報が表示されない事態が起こることになる。
そこで、第１光検出手段によって検出される明るさが第２光検出手段によって検出される明るさに比べて低い場合に限って、情報表示装置の表示動作をオフとする。
上述の如く、情報表示装置に情報を表示することが無駄な場合に情報表示装置の表示動作をオフとすることによって、無駄な電力の消費を抑制し、電力の有効利用を図ることが出来る。
【００１５】
【発明の効果】
本発明に係る携帯電話機によれば、周囲の状況に応じて、照明装置を適切なタイミングで自動的に点灯及び消灯させることが出来る。
【００１６】
【発明の実施の形態】
以下、本発明の実施の形態につき、図面に沿って具体的に説明する。
本発明に係る携帯電話機は、図１及び図２に示す如く前面ケース(11)と背面ケース(12)を組み合わせてなる扁平なケーシング(１)を具え、該ケーシング(１)の頭部にアンテナ(13)が突設されている。
前面ケース(11)の表面には、複数の操作キーからなるキー入力装置(14)が配備されると共に、ディスプレイ(15)が配備され、該ディスプレイ(15)には、キー入力装置(14)によって入力された情報や各種の情報を表示することが可能である。又、前面ケース(11)の表面には、上端部に、スピーカを内蔵した受話部(２)が設けられる一方、下端部に、マイクロホンを内蔵した送話部(20)が設けられている。
【００１７】
本発明に係る携帯電話機は、第１光センサ(３)及び第２光センサ(30)を具えており、第１光センサ(３)は、図１に示す如く、前面ケース(11)表面の受話部(２)の近傍位置に配置される一方、第２光センサ(30)は、図２に示す如く、背面ケース(12)表面のアンテナ(13)の基端部近傍位置に配置されている。従って、第１光センサ(３)によって装置本体の前面側の周辺の明るさが検出され、第２光センサ(30)によって装置本体の背面側の周辺の明るさが検出される。
【００１８】
図３は、上記携帯電話機の電気的な構成を表わしている。
上記携帯電話機においては、図示の如く、アンテナ(13)に電話回路(16)が接続されており、該電話回路(16)によって、他の携帯電話機との間や加入者電話回線に接続された一般電話機との間の通話やデータ通信のための信号処理が行なわれる。
【００１９】
電話回路(16)の動作は、マイクロコンピュータからなる制御回路(10)によって制御されており、該制御回路(10)に、マイクロホン(19)及びスピーカ(17)が接続され、送話音の入力及び受話音の出力が可能となっている。
【００２０】
又、制御回路(10)には、上述のディスプレイ(15)及びキー入力装置(14)が接続されると共に、ディスプレイ(15)の表示面を照明するためのバックライト(18a)及びキー入力装置(14)の複数の操作キーを照明するためのキー照明装置(18b)が接続されている。
又、制御回路(10)には、上記第１光センサ(３)及び第２光センサ(30)が接続されており、制御回路(10)は、第１光センサ(３)及び第２光センサ(30)の出力信号に基づいて、バックライト(18a)及びキー照明装置(18b)の点灯／消灯を制御すると共に、ディスプレイ(15)の表示動作をオン／オフ制御する。
【００２１】
下記表１は、種々の状況におけるバックライト(18a)及びキー照明装置(18b)の点灯／消灯状態、及びディスプレイ(15)の表示動作のオン／オフ状態を表わしている。尚、表中の下線部分は、従来の携帯電話機と異なる状態であることを表わしている。
【表１】
0003877515.tif 000002
【００２２】
着信の待機状態においては、後述の如く、バックライト(18a)及びキー照明装置(18b)が点灯／消灯されると共に、ディスプレイ(15)の表示動作がオン／オフされる。
ケースNo.１
周囲が明るい状態でキー入力操作が行なわれた場合には、第１光センサ(３)及び第２光センサ(30)に周囲の光が入射しているため、第１及び第２光センサ(３)(30)の出力値は、周囲が暗い場合に比べて大きくなる。
この場合、キー入力操作により入力された情報をディスプレイ(15)に表示するためにディスプレイ(15)の表示動作をオンに設定する必要はあるが、周囲が明るいため、ディスプレイ(15)の表示面及びキー入力装置(14)の複数の操作キーを照明する必要はない。
そこで、第１光センサ(３)及び第２光センサ(30)の出力値が共に、所定の基準値よりも大きいときに、バックライト(18a)及びキー照明装置(18b)が消灯され、ディスプレイ(15)の表示動作がオンに設定される。
【００２３】
ケースNo.２
周囲は暗いが何らかの光源の光が装置本体の背面に向けて局所的に照射されている状態でキー入力操作が行なわれた場合、例えば、周囲は暗いが、ユーザの正面からユーザに向けて光が照射されており、装置本体がその前面をユーザに向けて所持されている状態でキー入力操作が行なわれた場合には、第２光センサ(30)には光源の光の大部分が入射しているが、第１光センサ(３)には光源の光が殆ど入射していないため、第２光センサ(30)の出力値は第１光センサ(３)の出力値に比べて大きくなる。
この場合、キー入力操作により入力された情報をディスプレイ(15)に表示するためにディスプレイ(15)の表示動作をオンに設定する必要がある。又、装置本体の前面側の周辺が暗いためディスプレイ(15)の表示面及びキー入力装置(14)の複数の操作キーを照明する必要がある。
そこで、第１光センサ(３)の出力値は前記基準値よりも小さいが、第２光センサ(30)の出力値は前記基準値よりも大きく、第２光センサ(30)の出力値が第１光センサ(３)の出力値に比べて十分に大きいときに、バックライト(18a)及びキー照明装置(18b)がキー入力操作時点から一定時間、例えば１０秒間だけ点灯され、ディスプレイ(15)の表示動作がオンに設定される。
【００２４】
ケースNo.３
周囲は暗いが何らかの光源の光が装置本体の前面に向けて局所的に照射されている状態でキー入力操作が行なわれた場合、例えば、周囲は暗いが、ユーザの背面からユーザに向けて光が照射されており、装置本体がその前面をユーザに向けて所持されている状態でキー入力操作が行なわれた場合には、第１光センサ(３)には光源の光の大部分が入射しているが、第２光センサ(30)には光源の光が殆ど入射していないため、第１光センサ(３)の出力値は第２光センサ(30)の出力値に比べて大きくなる。
又、周囲が明るい状態で装置本体の前面を上方に向けてキー入力操作が行なわれた場合においても、第１光センサ(３)には周囲の光が入射しているが、第２光センサ(30)には周囲の光が殆ど入射していないため、第１光センサ(３)の出力値は第２光センサ(30)の出力値に比べて大きくなる。
上記何れの場合においても、キー入力操作により入力された情報をディスプレイ(15)に表示するためにディスプレイ(15)の表示動作をオンに設定する必要がある。又、周囲は暗いがユーザの背面からユーザに向けて光が照射されている状態でキー入力操作が行なわれた場合、装置本体の前面に光が照射されているため、ディスプレイ(15)の表示を見易くすると共にキー入力装置(14)を操作し易くするという観点からはディスプレイ(15)の表示面及びキー入力装置(14)の複数の操作キーを照明する必要はないが、周囲が暗くユーザの背面からユーザに向けて光が照射されている状態はユーザが何らかの動作を行なう上で危険であるという観点からディスプレイ(15)の表示面及びキー入力装置(14)の複数の操作キーを照明する必要がある。
そこで、第１光センサ(３)の出力値は前記基準値よりも大きいが、第２光センサ(30)の出力値は前記基準値よりも小さく、第１光センサ(３)の出力値が第２光センサ(30)の出力値よりも十分に大きいときには、バックライト(18a)及びキー照明装置(18b)がキー入力操作時点から１０秒間だけ点灯され、ディスプレイ(15)の表示動作がオンに設定される。
【００２５】
ケースNo.４
周囲が暗く、装置本体に何ら光源の光が照射されていない状態でキー入力操作が行なわれた場合には、第１光センサ(３)及び第２光センサ(30)には殆ど光が入射していないため、第１及び第２光センサ(３)(30)の出力値は、周囲が明るい場合に比べて小さくなる。
この場合、キー入力操作により入力された情報をディスプレイ(15)に表示するためにディスプレイ(15)の表示動作をオンに設定する必要がある。又、周囲が暗いため、ディスプレイ(15)の表示面及びキー入力装置(14)の複数の操作キーを照明する必要がある。
そこで、第１光センサ(３)及び第２光センサ(30)の出力値が共に基準値よりも小さいときに、バックライト(18a)及びキー照明装置(18b)がキー入力操作時点から１０秒間だけ点灯され、ディスプレイ(15)の表示動作がオンに設定される。
【００２６】
ケースNo.５
周囲が明るい状態で着信があった場合には、第１光センサ(３)及び第２光センサ(30)に周囲の光が入射しているため、第１及び第２光センサ(３)(30)の出力値は、周囲が暗い場合に比べて大きくなる。
この場合、発信者の電話番号等の情報をディスプレイ(15)に表示するためにディスプレイ(15)の表示動作をオンに設定する必要はあるが、周囲が明るいため、ディスプレイ(15)の表示面及びキー入力装置(14)の複数の操作キーを照明する必要はない。
そこで、第１光センサ(３)及び第２光センサ(30)の出力値が共に、所定の基準値よりも大きいときに、バックライト(18a)及びキー照明装置(18b)が消灯され、ディスプレイ(15)の表示動作がオンに設定される。
【００２７】
ケースNo.６
周囲は暗いが何らかの光源の光が装置本体の背面に向けて局所的に照射されている状態で着信があった場合、例えば、周囲は暗いが、ユーザの正面からユーザに向けて光が照射されており、装置本体がその前面をユーザに向けて所持されている状態で着信があった場合には、第２光センサ(30)には光源の光の大部分が入射しているが、第１光センサ(３)には光源の光が殆ど入射していないため、第２光センサ(30)の出力値は第１光センサ(３)の出力値に比べて大きくなる。
又、周囲が明るく、装置本体がその前面を下方に向けた姿勢で机上に置かれた状態で着信があった場合においても、第２光センサ(30)には周囲の光が入射しているが第１光センサ(３)には周囲の光が殆ど入射していないため、第２光センサ(30)の出力値は第１光センサ(３)の出力値に比べて大きくなる。
上記何れの場合においても、発信者の電話番号等の情報をディスプレイ(15)に表示するためにディスプレイ(15)の表示動作をオンに設定する必要がある。又、周囲は暗いがユーザの正面からユーザに向けて光が照射されている状態で着信があった場合には、装置本体の前面側の周辺が暗いため、ディスプレイ(15)の表示面及びキー入力装置(14)の複数の操作キーを照明する必要がある。
そこで、第１光センサ(３)の出力値は前記基準値よりも小さいが、第２光センサ(30)の出力値は前記基準値よりも大きく、第２光センサ(30)の出力値が第１光センサ(３)の出力値よりも十分に大きいときには、バックライト(18a)及びキー照明装置(18b)が着信時から１０秒間だけ点灯され、ディスプレイ(15)の表示動作がオンに設定される。
【００２８】
ケースNo.７
周囲は暗いが何らかの光源の光が装置本体の前面に向けて局所的に照射されている状態で着信があった場合、例えば、周囲は暗いが、ユーザの背面からユーザに向けて光が照射されており、装置本体がその前面をユーザに向けて所持されている状態で着信があった場合には、第１光センサ(３)には光源の光の大部分が入射しているが、第２光センサ(30)には光源の光が殆ど入射していないため、第１光センサ(３)の出力値は第２光センサ(30)の出力値に比べて大きくなる。
又、周囲は明るく、装置本体がその前面を上方に向けた姿勢で机上に置かれた状態で着信があった場合においても、第１光センサ(３)には周囲の光が入射しているが、第２光センサ(30)には周囲の光が殆ど入射していないため、第１光センサ(３)の出力値は第２光センサ(30)の出力値に比べて大きくなる。
上記何れの場合においても、発信者の電話番号等の情報をディスプレイ(15)に表示するためにディスプレイ(15)の表示動作をオンに設定する必要がある。又、上記ケースNo.３と同様に、周囲が暗くユーザの背面からユーザに向けて光が照射されている状態はユーザが何らかの動作を行なう上で危険であるという観点からディスプレイ(15)の表示面及びキー入力装置(14)の複数の操作キーを照明する必要がある。
そこで、第１光センサ(３)の出力値は前記基準値よりも大きいが、第２光センサ(30)の出力値は前記基準値よりも小さく、第１光センサ(３)の出力値が第２光センサ(30)の出力値よりも十分に大きいときには、バックライト(18a)及びキー照明装置(18b)が着信時から１０秒間だけ点灯され、ディスプレイ(15)の表示動作がオンに設定される。
【００２９】
ケースNo.８
周囲が暗く、装置本体に何ら光源の光が照射されていない状態で着信があった場合には、第１光センサ(３)及び第２光センサ(30)には殆ど光が入射していないため、第１及び第２光センサ(３)(30)の出力値は、周囲が明るい場合に比べて小さくなる。
この場合、発信者の電話番号等の情報をディスプレイ(15)に表示するためにディスプレイ(15)の表示動作をオンに設定する必要がある。又、周囲が暗いため、ディスプレイ(15)の表示面及びキー入力装置(14)の複数の操作キーを照明する必要がある。
そこで、第１光センサ(３)及び第２光センサ(30)の出力値が共に基準値よりも小さいときに、バックライト(18a)及びキー照明装置(18b)が着信時から１０秒間だけ点灯され、ディスプレイ(15)の表示動作がオンに設定される。
【００３０】
又、他の電話機との通信が確立している通信確立状態においては、後述の如く、バックライト(18a)及びキー照明装置(18b)が点灯／消灯されると共に、ディスプレイ(15)の表示動作がオン／オフされる。
ケースNo.９
周囲が明るい状態でキー入力操作が行なわれた場合には、上記ケースNo.１と同様に、第１光センサ(３)及び第２光センサ(30)の出力値が共に、所定の基準値よりも大きいときに、バックライト(18a)及びキー照明装置(18b)が消灯され、ディスプレイ(15)の表示動作がオンに設定される。
【００３１】
ケースNo.１０
周囲は暗いが何らかの光源の光が装置本体の背面に向けて局所的に照射されている状態でキー入力操作が行なわれた場合、例えば、周囲は暗いが、ユーザの正面からユーザに向けて光が照射されており、装置本体がその前面をユーザに向けて所持されている状態でキー入力操作が行なわれた場合には、上記ケースNo.２と同様に、第１光センサ(３)の出力値は前記基準値よりも小さいが、第２光センサ(30)の出力値は前記基準値よりも大きく、第２光センサ(30)の出力値が第１光センサ(３)の出力値に比べて十分に大きいときに、バックライト(18a)及びキー照明装置(18b)がキー入力操作時点から１０秒間だけ点灯され、ディスプレイ(15)の表示動作がオンに設定される。
【００３２】
ケースNo.１１
周囲は暗いが何らかの光源の光が装置本体の前面に向けて局所的に照射されている状態でキー入力操作が行なわれた場合、例えば、周囲は暗いが、ユーザの背面からユーザに向けて光が照射されており、装置本体がその前面をユーザに向けて所持されている状態でキー入力操作が行なわれた場合、或いは、周囲が明るい状態で装置本体の前面を上方に向けてキー入力操作が行なわれた場合には、上記ケースNo.３と同様に、第１光センサ(３)の出力値は前記基準値よりも大きいが、第２光センサ(30)の出力値は前記基準値よりも小さく、第１光センサ(３)の出力値が第２光センサ(30)の出力値よりも十分に大きいときに、バックライト(18a)及びキー照明装置(18b)がキー入力操作時点から１０秒間だけ点灯され、ディスプレイ(15)の表示動作がオンに設定される。
【００３３】
ケースNo.１２
周囲が暗く、装置本体に何ら光源の光が照射されていない状態でキー入力操作が行なわれた場合には、上記ケースNo.４と同様に、第１光センサ(３)及び第２光センサ(30)の出力値が共に基準値よりも小さいときに、バックライト(18a)及びキー照明装置(18b)がキー入力操作時点から１０秒間だけ点灯され、ディスプレイ(15)の表示動作がオンに設定される。
【００３４】
ケースNo.１３
周囲が明るい状態で、キー入力操作が無く、通話も行なわれていない場合、例えば、周囲が明るい状態で装置本体がユーザの手元で所持されている場合には、第１光センサ(３)及び第２光センサ(30)に周囲の光が入射しているため、第１及び第２光センサ(３)(30)の出力値は、周囲が暗い場合に比べて大きくなる。
この場合、他の電話機と通信が確立されている状態である旨等の情報をディスプレイ(15)に表示するためにディスプレイ(15)の表示動作をオンに設定する必要はあるが、周囲が明るいため、ディスプレイ(15)の表示面及びキー入力装置(14)の複数の操作キーを照明する必要はない。
そこで、第１光センサ(３)及び第２光センサ(30)の出力値が共に、所定の基準値よりも大きいときに、バックライト(18a)及びキー照明装置(18b)が消灯され、ディスプレイ(15)の表示動作がオンに設定される。
【００３５】
ケースNo.１４
周囲が明るい状態で、装置本体がユーザの耳元で所持されて通話が行なわれている場合には、周囲の光は、第２光センサ(30)に入射しているのに対し、第１光センサ(３)には、ユーザの耳により遮蔽されて入射していないため、第２光センサ(30)の出力値は第１光センサ(３)の出力値に比べて大きくなる。
又、周囲は明るく、装置本体がその前面を下方に向けた姿勢で机上に置かれた状態で、通話が行なわれている場合においても、第２光センサ(30)には周囲の光が入射しているが、第１光センサ(３)には周囲の光が殆ど入射していないため、第２光センサ(30)の出力値は第１光センサ(３)の出力値に比べて大きくなる。
上述の如く通話が行なわれている場合、ユーザがディスプレイ(15)の表示を見ることはないため、ディスプレイ(15)に情報を表示することは無駄であり、ディスプレイ(15)の表示動作をオンに設定する必要はない。又、周囲が明るいため、ディスプレイ(15)の表示面及びキー入力装置(14)の複数の操作キーを照明する必要はない。
そこで、第１光センサ(３)の出力値は前記基準値よりも小さいが、第２光センサ(30)の出力値は前記基準値よりも大きく、第２光センサ(30)の出力値が第１光センサ(３)の出力値に比べて十分に大きいときに、バックライト(18a)及びキー照明装置(18b)が消灯され、ディスプレイ(15)の表示動作がオフに設定される。
【００３６】
ケースNo.１５
周囲は暗いが何らかの光源の光が装置本体の前面に向けて局所的に照射されている状態でキー入力操作が無く、通話も行なわれていない場合、例えば、周囲は暗いが、ユーザの背面からユーザに向けて光が照射されており、装置本体がその前面をユーザに向けて所持されている状態でキー入力操作が無く、通話も行なわれていない場合には、第１光センサ(３)には光源の光の大部分が入射しているが、第２光センサ(30)には光源の光が殆ど入射していないため、第１光センサ(３)の出力値は第２光センサ(30)の出力値に比べて大きくなる。
又、周囲は明るく、装置本体がその前面を上方に向けた姿勢で机上に置かれた状態で、キー入力操作が無く、通話も行なわれていない場合においても、第１光センサ(３)には周囲の光が入射しているが、第２光センサ(30)には周囲の光が殆ど入射していないため、第１光センサ(３)の出力値は第２光センサ(30)の出力値に比べて大きくなる。
上記何れの場合においても、他の電話機と通信が確立されている状態である旨等の情報をディスプレイ(15)に表示するためにディスプレイ(15)の表示動作をオンに設定する必要がある。又、上記ケースNo.３と同様に、周囲が暗くユーザの背面からユーザに向けて光が照射されている状態はユーザが何らかの動作を行なう上で危険であるという観点からディスプレイ(15)の表示面及びキー入力装置(14)の複数の操作キーを照明する必要がある。
そこで、第１光センサ(３)の出力値は前記基準値よりも大きいが、第２光センサ(30)の出力値は前記基準値よりも小さく、第１光センサ(３)の出力値が第２光センサ(30)の出力値よりも十分に大きいときに、第２光センサ(30)の出力値が前記基準値よりも小さくなった時点からバックライト(18a)及びキー照明装置(18b)が１０秒間だけ点灯され、ディスプレイ(15)の表示動作がオンに設定される。
【００３７】
ケースNo.１６
周囲が暗い状態で、装置本体がユーザの耳元で所持されて通話が行なわれている場合には、第１光センサ(３)及び第２光センサ(30)に殆ど光が入射していないため、第１及び第２光センサ(３)(30)の出力値は、周囲が明るい場合に比べて小さくなる。
又、周囲が暗い状態で、キー入力操作が無く、通話も行なわれていない場合においても、第１光センサ(３)及び第２光センサ(30)に殆ど光が入射していないため、第１及び第２光センサ(３)(30)の出力値は、周囲が明るい場合に比べて小さくなる。
この様に、通話が行なわれている場合及び通話が行なわれていない場合の何れの場合においても、第１光センサ(３)及び第２光センサ(30)の出力値は共に、基準値よりも小さくなる。従って、第１及び第２光センサ(３)(30)の出力値が共に基準値よりも小さい場合であっても、ユーザはディスプレイ(15)の表示を見ることがあり、他の電話機と通信が確立されている状態である旨等の情報をディスプレイ(15)に表示するためにディスプレイ(15)の表示動作をオンに設定する必要がある。又、周囲が暗いため、ディスプレイ(15)の表示面及びキー入力装置(14)の複数の操作キーを照明する必要がある。
そこで、第１光センサ(３)及び第２光センサ(30)の出力値が共に基準値よりも小さいときに、第２光センサ(30)の出力値が前記基準値よりも小さくなった時点からバックライト(18a)及びキー照明装置(18b)が１０秒間だけ点灯され、ディスプレイ(15)の表示動作がオンに設定される。
【００３８】
図４乃至図６は、上記制御回路(10)によるバックライト(18a)及びキー照明装置(18b)の点灯／消灯、及びディスプレイ(15)の表示動作オン／オフの制御手続きを表わしている。
先ずステップＳ１では、電源がオンに設定されたか否かを判断し、ノー(Ｎｏ)の場合は、ステップＳ１にて同じ判断を繰り返し、イエス(Ｙｅｓ)の場合は、ステップＳ２に移行して、各ポートの設定等、必要な初期設定を行なう。この結果、装置本体は、着信の待機状態となる。
【００３９】
次にステップＳ３では、第１光センサ(３)及び第２光センサ(30)の出力値を取り込んだ後、ステップＳ４では、キー入力操作が行なわれたか否かを判断し、イエスの場合は、ステップＳ７に移行する。
一方、ステップＳ４にてノーと判断された場合は、ステップＳ５に移行して、着信があったか否かを判断し、ノーの場合はステップＳ３に戻り、イエスの場合はステップＳ６にて着信処理を行なった後、ステップＳ７に移行する。
【００４０】
ステップＳ７では、第１光センサ(３)の出力値が基準値よりも大きいか否かを判断し、イエスの場合はステップＳ８に移行して、第２光センサ(30)の出力値が基準値よりも大きいか否かを判断し、イエスの場合は、ステップＳ９に移行する。
又、ステップＳ８にてノーと判断された場合は、ステップＳ１０に移行して、第１光センサ(３)の出力値と第２光センサ(30)の出力値との差が所定値より大きいか否かを判断し、ノーの場合は、ステップＳ９に移行する。
ステップＳ９では、バックライト(18a)及びキー照明装置(18b)を消灯すると共に、ディスプレイ(15)の表示動作をオンに設定した後、図５のステップＳ１６に移行する。該ステップＳ９によって、上記表１のケースNo.１及び５において、バックライト(18a)及びキー照明装置(18b)が消灯されると共に、ディスプレイ(15)の表示動作がオンに設定されることになる。
【００４１】
これに対し、ステップＳ１０にてイエスと判断された場合は、ステップＳ１１にて、バックライト(18a)及びキー照明装置(18b)を１０秒間だけ点灯すると共に、ディスプレイ(15)の表示動作をオンに設定した後、図５のステップＳ１６に移行する。該ステップＳ１１によって、上記表１のケースNo.３及び７において、バックライト(18a)及びキー照明装置(18b)がキー入力操作時点、或いは着信時点から１０秒間だけ点灯されると共に、ディスプレイ(15)の表示動作がオンに設定されることになる。
【００４２】
上記ステップＳ７にてノーと判断された場合は、ステップＳ１２に移行して、第２光センサ(30)の出力値が基準値より大きいか否かを判断し、ノーの場合は、ステップＳ１５に移行する。
又、ステップＳ１２にてイエスと判断された場合は、ステップＳ１３に移行して、第２光センサ(30)の出力値と第１光センサ(３)の出力値との差が所定値より大きいか否かを判断し、ノーの場合は、ステップＳ１５に移行する。
ステップＳ１５では、バックライト(18a)及びキー照明装置(18b)を１０秒間だけ点灯すると共に、ディスプレイ(15)の表示動作をオンに設定した後、図５のステップＳ１６に移行する。該ステップＳ１５によって、上記表１のケースNo.４及び８において、バックライト(18a)及びキー照明装置(18b)がキー入力操作時点、或いは着信時点から１０秒間だけ点灯されると共に、ディスプレイ(15)の表示動作がオンに設定されることになる。
【００４３】
これに対し、ステップＳ１３にてイエスと判断された場合は、ステップＳ１４にて、バックライト(18a)及びキー照明装置(18b)を１０秒間だけ点灯すると共に、ディスプレイ(15)の表示動作をオンに設定した後、図５のステップＳ１６に移行する。該ステップＳ１４によって上記表１のケースNo.２及び６において、バックライト(18a)及びキー照明装置(18b)がキー入力操作時点、或いは着信時点から１０秒間だけ点灯されると共に、ディスプレイ(15)の表示動作がオンに設定されることになる。
【００４４】
図５のステップＳ１６では、オフフックキーに対する操作があったか否かを判断し、ノーの場合はステップＳ１７に移行して、ユーザ操作に応じたキー入力処理を行なった後、図４のステップＳ５に戻る一方、イエスの場合はステップＳ１８に移行して、他の電話機との通信を確立するための通信確立処理を行なう。この結果、装置本体は、他の電話機との通信が確立した通信確立状態となる。
【００４５】
続いてステップＳ１９では、第１光センサ(３)及び第２光センサ(30)の出力値を取り込んだ後、ステップＳ２０では、キー入力操作が行なわれたか否かを判断し、ノーの場合は、ステップＳ２１に移行する。
【００４６】
ステップＳ２１では、第１光センサ(３)の出力値が基準値よりも大きいか否かを判断し、イエスの場合はステップＳ２２に移行して、第２光センサ(30)の出力値が基準値よりも大きいか否かを判断し、イエスの場合は、ステップＳ２３に移行する。
又、ステップＳ２２にてノーと判断された場合は、ステップＳ２４に移行して、第１光センサ(３)の出力値と第２光センサ(30)の出力値との差が所定値より大きいか否かを判断し、ノーの場合は、ステップＳ２３に移行する。
ステップＳ２３では、バックライト(18a)及びキー照明装置(18b)を消灯すると共に、ディスプレイ(15)の表示動作をオンに設定した後、ステップＳ１９に戻る。該ステップＳ２３によって、上記表１のケースNo.１３において、バックライト(18a)及びキー照明装置(18b)が消灯されると共に、ディスプレイ(15)の表示動作がオンに設定されることになる。
【００４７】
これに対し、ステップＳ２４にてイエスと判断された場合は、ステップＳ２５に移行して、前回、第２光センサ(30)から取り込んだ出力値は基準値よりも大きかったか否かを判断し、ノーの場合はステップＳ１９に戻る一方、イエスの場合は、ステップＳ２６に移行して、バックライト(18a)及びキー照明装置(18b)を１０秒間だけ点灯すると共に、ディスプレイ(15)の表示動作をオンに設定した後、ステップＳ１９に戻る。該ステップＳ２６によって、ユーザ周辺の状況が上記表１のケースNo.１３或いは１４からケースNo.１５に変化したときに、バックライト(18a)及びキー照明装置(18b)がその時点から１０秒間だけ点灯されると共に、ディスプレイ(15)の表示動作がオンに設定されることになる。
【００４８】
上記ステップＳ２１にてノーと判断された場合は、ステップＳ２７に移行して、第２光センサ(30)の出力値が基準値より大きいか否かを判断し、イエスの場合は、ステップＳ２８にて、第２光センサ(30)の出力値と第１光センサ(３)の出力値との差が所定値より大きいか否かを判断し、イエスの場合はステップＳ２９に移行する。
ステップＳ２９では、バックライト(18a)及びキー照明装置(18b)を消灯すると共に、ディスプレイ(15)の表示動作をオフに設定した後、ステップＳ１９に戻る。該ステップＳ２９によって、上記表１のケースNo.１４において、バックライト(18a)及びキー照明装置(18b)が消灯されると共に、ディスプレイ(15)の表示動作がオフに設定されることになる。
【００４９】
上記ステップＳ２７或いはステップＳ２８にてノーと判断された場合は、ステップＳ３０にて、前回、第２光センサ(30)から取り込んだ出力値は基準値よりも大きかったか否かを判断し、ノーの場合はステップＳ１９に戻る一方、イエスの場合は、ステップＳ３１に移行して、バックライト(18a)及びキー照明装置(18b)を１０秒間だけ点灯すると共に、ディスプレイ(15)の表示動作をオンに設定した後、ステップＳ１９に戻る。該ステップＳ３１によって、ユーザ周辺の状況が上記表１のケースNo.１３或いは１４からケースNo.１６に変化したときに、バックライト(18a)及びキー照明装置(18b)がその時点から１０秒間だけ点灯されると共に、ディスプレイ(15)の表示動作がオンに設定されることになる。
【００５０】
上記ステップＳ２０にてイエスと判断された場合は、図６のステップＳ３２に移行して、第１光センサ(３)の出力値が基準値よりも大きいか否かを判断し、イエスの場合はステップＳ３３に移行して、第２光センサ(30)の出力値が基準値よりも大きいか否かを判断し、イエスの場合は、ステップＳ３４に移行する。
又、ステップＳ３３にてノーと判断された場合は、ステップＳ３５に移行して、第１光センサ(３)の出力値と第２光センサ(30)の出力値との差が所定値より大きいか否かを判断し、ノーの場合は、ステップＳ３４に移行する。
ステップＳ３４では、バックライト(18a)及びキー照明装置(18b)を消灯すると共に、ディスプレイ(15)の表示動作をオンに設定した後、ステップＳ４１に移行する。該ステップＳ３４によって、上記表１のケースNo.９において、バックライト(18a)及びキー照明装置(18b)が消灯されると共に、ディスプレイ(15)の表示動作がオンに設定されることになる。
【００５１】
これに対し、ステップＳ３５にてイエスと判断された場合は、ステップＳ３６にて、バックライト(18a)及びキー照明装置(18b)を１０秒間だけ点灯すると共に、ディスプレイ(15)の表示動作をオンに設定した後、ステップＳ４１に移行する。該ステップＳ３６によって、上記表１のケースNo.１１において、バックライト(18a)及びキー照明装置(18b)がキー入力操作時点から１０秒間だけ点灯されると共に、ディスプレイ(15)の表示動作がオンに設定されることになる。
【００５２】
上記ステップＳ３２にてノーと判断された場合は、ステップＳ３７に移行して、第２光センサ(30)の出力値が基準値より大きいか否かを判断し、ノーの場合は、ステップＳ４０に移行する。
又、ステップＳ３７にてイエスと判断された場合は、ステップＳ３８に移行して、第２光センサ(30)の出力値と第１光センサ(３)の出力値との差が所定値より大きいか否かを判断し、ノーの場合は、ステップＳ４０に移行する。
ステップＳ４０では、バックライト(18a)及びキー照明装置(18b)を１０秒間だけ点灯すると共に、ディスプレイ(15)の表示動作をオンに設定した後、ステップＳ４１に移行する。該ステップＳ４０によって、上記表１のケースNo.１２において、バックライト(18a)及びキー照明装置(18b)がキー入力操作時点から１０秒間だけ点灯されると共に、ディスプレイ(15)の表示動作がオンに設定されることになる。
【００５３】
これに対し、ステップＳ３８にてイエスと判断された場合は、ステップＳ３９にて、バックライト(18a)及びキー照明装置(18b)を１０秒間だけ点灯すると共に、ディスプレイ(15)の表示動作をオンに設定した後、ステップＳ４１に移行する。該ステップＳ３９によって上記表１のケースNo.１０において、バックライト(18a)及びキー照明装置(18b)がキー入力操作時点から１０秒間だけ点灯されると共に、ディスプレイ(15)の表示動作がオンに設定されることになる。
【００５４】
ステップＳ４１では、前記キー入力操作がオンフックキーに対する操作であったか否かを判断し、ノーの場合は、図５のステップＳ１９に戻る。
一方、ステップＳ４１にてイエスと判断された場合は、ステップＳ４２にて、他の電話機との通信を切断するための通信切断処理を行なった後、図４のステップＳ３に戻る。この結果、装置本体は、通信確立状態から着信の待機状態となる。
【００５５】
上記携帯電話機によれば、周囲が暗く、何らかの光源の光がユーザの背面からユーザに向けて局所的に照射されている状況(上記表１のケースNo.３、７、１１及び１５)において、バックライト(18a)及びキー照明装置(18b)が点灯されるので、装置本体の周辺が若干、明るくなり、かかる状況でユーザが何らかの動作を行なう上での危険性が緩和される。
又、ディスプレイ(15)に情報を表示することが無駄な状況、即ち周囲が明るい状態で、装置本体がユーザの耳元で所持されて通話が行なわれている状況(上記表１のケースNo.１４)において、バックライト(18a)及びキー照明装置(18b)が消灯されると共にディスプレイ(15)の表示動作がオフに設定されるので、無駄な電力の消費が抑制され、電力の有効利用が図られることになる。
この様に、本発明に係る携帯電話機によれば、周囲の状況に応じて、バックライト(18a)及びキー照明装置(18b)を適切なタイミングで自動的に点灯及び消灯させると共に、ディスプレイ(15)の表示動作を適切なタイミングで自動的にオン／オフさせることが出来る。
【図面の簡単な説明】
【図１】本発明に係る携帯電話機を前面側から見た斜視図である。
【図２】上記携帯電話機を背面側から見た斜視図である。
【図３】上記携帯電話機の電気的な構成を表わすブロック図である。
【図４】上記携帯電話機における制御手続きを表わすフローチャートである。
【図５】図４の第１の分図を表わすフローチャートである。
【図６】図４の第２の分図を表わすフローチャートである。
【図７】従来の携帯電話機を前面側から見た斜視図である。
【符号の説明】
(１)  ケーシング
(13)  アンテナ
(14)  キー入力装置
(15)  ディスプレイ
(17)  スピーカ
(18a)  バックライト
(18b)  キー照明装置
(19)  マイクロホン
(３)  第１光センサ
(30)  第２光センサ
【図１】
0003877515.tif 000003
【図２】
0003877515.tif 000004
【図３】
0003877515.tif 000005
【図４】
0003877515.tif 000006
【図５】
0003877515.tif 000007
【図６】
0003877515.tif 000008
【図７】
0003877515.tif 000009